(57)【要約】 【課題】  単位面積あたりの発光効率に優れたＬＥＤ表示装置を提供する。【解決手段】  プリント基板Ｐ上にはリード線９、絶縁層１０、リード線１１、絶縁層１２、リード線１３が積層され、リード線９に赤色ＬＥＤ３が接続され、リード線１１に青色ＬＥＤ４が接続され、リード線１３に緑色ＬＥＤ５が接続されている。前記リード線９、１１，１３と赤色ＬＥＤ３、青色ＬＥＤ４及び緑色ＬＥＤ５とを接続した状態で、赤色ＬＥＤ３と青色ＬＥＤ４とは絶縁層１０を介して厚み方向に絶縁されているので、平面視で赤色ＬＥＤ３と青色ＬＥＤ４とを近接してもそれぞれを独立して駆動させることができる。同様に、青色ＬＥＤ４と緑色ＬＥＤ５も絶縁層１２を介して厚み方向に絶縁されているので、青色ＬＥＤ４と緑色ＬＥＤ５とを近接してもそれぞれを独立して駆動させることができる。したがって、本実施例によれば赤色ＬＥＤ３、青色ＬＥＤ４及び緑色ＬＥＤ５を平面的に見て接触させて配置することができる。【選択図】    図３
2010205948.tif 000002
【特許請求の範囲】
【請求項１】
ＬＥＤ（発光ダイオード）を用いたＬＥＤ表示装置において、この表示装置は多数のセルを集合して構成され、各セルの内側面は反射面とされ、また各セル内には１組の複数の異なる色のＬＥＤが配置され、この複数の異なる色のＬＥＤは多層構造プリント基板の異なる層に異なる色ごとに実装されていることを特徴とするＬＥＤ表示装置。
【請求項２】
請求項１に記載のＬＥＤ表示装置において、前記複数の異なる色のＬＥＤは赤色ＬＥＤ、青色ＬＥＤ及び緑色ＬＥＤであることを特徴とするＬＥＤ表示装置。
【請求項３】
請求項１に記載のＬＥＤ表示装置において、前記複数の異なる色のＬＥＤはセル内に透明樹脂で固定され、また光が出射するセルの端面にはレンズまたは透明拡散板が設けられていることを特徴とするＬＥＤ表示装置。
【発明の詳細な説明】
【技術分野】
【０００１】
本発明は多数のＬＥＤ（発光ダイオード）を用いたＬＥＤ表示装置に関する。
【背景技術】
【０００２】
ＬＥＤ（発光ダイオード）を用いた表示装置は、特許文献１に示すように、赤色ＬＥＤ、青色ＬＥＤ及び緑色ＬＥＤを絶縁性のプリント基板上に一定の間隔で配置している。
【０００３】
特許文献２には、赤色ＬＥＤ、青色ＬＥＤ及び緑色ＬＥＤを垂直方向に重ねた構成が提案されている。具体的には、ベース基板上に特定の色のＬＥＤを実装し、この上に透明樹脂を介して別のＬＥＤを実装したベース基板を重ね、更にこの上に透明樹脂を介して別のＬＥＤを実装したベース基板を重ねた構成になっている。
【先行技術文献】
【特許文献】
【０００４】
【特許文献１】特開２００６−１８９６６５号公報
【特許文献２】特開２００６−２８６９０８号公報
【発明の概要】
【発明が解決しようとする課題】
【０００５】
特許文献１のように赤色ＬＥＤ、青色ＬＥＤ及び緑色ＬＥＤを１つの平面上に配置する場合、各ＬＥＤを電気的に独立させる必要があるため、各ＬＥＤ間にある程度の隙間が必要になる。このため、３つのＬＥＤの間隔が離れてしまい、画素が粗くなってしまう。
【０００６】
また、特許文献２にあっては、垂直方向に異なる色のＬＥＤを重ねるために、ＬＥＤを実装したプリント基板を重ねているおり、画素を小さくすることができない。
【課題を解決するための手段】
【０００７】
上記課題を解決するべく本発明に係るＬＥＤ表示装置は、多数のセルを集合して構成され、各セルの内側面は反射面とされ、また各セル内には１組の複数の異なる色のＬＥＤ（例えば赤色ＬＥＤ、青色ＬＥＤ及び緑色ＬＥＤ）が配置され、この複数の異なる色のＬＥＤは多層構造プリント基板の異なる層に異なる色ごとに実装されている。
【０００８】
前記複数の異なる色のＬＥＤが実装されたプリント基板を固定するためにセル内に透明樹脂を充填し、また光が出射するセルの端面にはレンズ（例えば凹レンズ）または透明拡散板を設けることが好ましい。
【０００９】
前記セル内に配置される複数のＬＥＤの並列状態は平面視で直線状あるいは三角形の頂点位置など任意である。
【発明の効果】
【００１０】
本発明に係るＬＥＤ表示装置によれば、１点に異なる色のＬＥＤを集中しても、セルの内面が反射面になっているので、下方に配置されるＬＥＤによる色が弱まることがなく、また狭い範囲に集中してＬＥＤを配置できるので、単位面積あたりの発光強度を高めることができる。
【図面の簡単な説明】
【００１１】
【図１】本発明に係るＬＥＤ表示装置の平面図
【図２】同ＬＥＤ表示装置の要部拡大平面図
【図３】同ＬＥＤ表示装置の要部拡大縦断面図
【図４】（ａ）〜（ｃ）は製造手順の一例を説明した図
【図５】別実施例を示す図２と同様の平面図
【発明を実施するための形態】
【００１２】
以下に本発明の実施例を添付図面に基づいて説明する。図１は本発明に係るＬＥＤ表示装置の平面図、図２は同ＬＥＤ表示装置の要部拡大平面図、図３は同ＬＥＤ表示装置の要部拡大縦断面図である。
【００１３】
ＬＥＤ表示装置１は例えば、縦横各３０ｍｍで、３６個（８×８）のセル２…からなっている。セル２の形状は図示例では六角形のハニカム状を採用しているが四角筒、三角筒、円筒など任意である。
【００１４】
前記セル２の内面はＣＶＤなどによって反射面２ａとされ、またセル２の内部にはプリント基板Ｐ上に形成された１組の複数の異なる色のＬＥＤ、具体的には赤色ＬＥＤ３、青色ＬＥＤ４及び緑色ＬＥＤ５が実装され、透明樹脂６で動かないように固定されている。
【００１５】
前記プリント基板Ｐで閉じられた側と反対側の開口はマイクロレンズアレイ７によって閉じられている。この実施例ではマイクロレンズアレイ７として各セル２に対応した大きさの凹レンズを連続した形状にしているが、凸レンズを連続したものや透明拡散板でもよい。
【００１６】
前記プリント基板Ｐ上にはリード線９、絶縁層１０、リード線１１、絶縁層１２、リード線１３が積層され、リード線９に赤色ＬＥＤ３が接続され、リード線１１に青色ＬＥＤ４が接続され、リード線１３に緑色ＬＥＤ５が接続されている。
【００１７】
前記リード線９、１１，１３と赤色ＬＥＤ３、青色ＬＥＤ４及び緑色ＬＥＤ５とを接続した状態で、赤色ＬＥＤ３と青色ＬＥＤ４とは絶縁層１０を介して厚み方向に絶縁されているので、平面視で赤色ＬＥＤ３と青色ＬＥＤ４とを近接してもそれぞれを独立して駆動させることができる。同様に、青色ＬＥＤ４と緑色ＬＥＤ５も絶縁層１２を介して厚み方向に絶縁されているので、青色ＬＥＤ４と緑色ＬＥＤ５とを近接してもそれぞれを独立して駆動させることができる。したがって、本実施例によれば赤色ＬＥＤ３、青色ＬＥＤ４及び緑色ＬＥＤ５を平面的に見て接触させて配置することができる。
【００１８】
また、前記いずれかの層または別の層に前記リード線９、１１，１３とは電気的に絶縁されたコモン電極１４を形成し、このコモン電極１４に各赤色ＬＥＤ３、青色ＬＥＤ４及び緑色ＬＥＤ５を接続している。
【００１９】
更に、各セル２毎にリード線９は独立している。同様にリード線９、１１も各セル毎に独立している。したがって、各セル２毎に赤色ＬＥＤ３、青色ＬＥＤ４及び緑色ＬＥＤ５のオンオフ或いは強弱をコントロールすることができる。
【００２０】
次に、上記のＬＥＤ表示装置１の制作手順の一例を説明する。先ず図４（ａ）に示すように、プリント基板Ｐ上にリード線９、絶縁層１０、リード線１１、絶縁層１２、リード線１３を積層して形成する。
【００２１】
次いで、図４（ｂ）に示すように、エッチングなどの半導体チップ製造技術を利用して各セル２毎に応じたブロックを形成し、更に図４（ｃ）に示すように、各ブロックのリード線９、絶縁層１０、リード線１１上に赤色ＬＥＤ３、青色ＬＥＤ４及び緑色ＬＥＤ５を搭載する。尚、製造手順は上記に限らない。
【００２２】
一方、予めセル２の一端開口をマイクロレンズアレイ７で閉塞した後、セル２の内部に透明樹脂６を充填する。そして、透明樹脂６が充填されたセル２内に上記によって得られたプリント基板Ｐを挿入し、透明樹脂６を固化することで、ＬＥＤ表示装置１が完成する。
【００２３】
図５は別実施例を示す図２と同様の平面図であり、この実施例にあっては、赤色ＬＥＤ３、青色ＬＥＤ４及び緑色ＬＥＤ５の配置が三角形の頂点となるようにしている。
【符号の説明】
【００２４】
１…ＬＥＤ表示装置、２…セル、２ａ…セルの内面、３…赤色ＬＥＤ、４…青色ＬＥＤ、５…緑色ＬＥＤ、６…透明樹脂、７…マイクロレンズアレイ、９，１１，１３…リード線、１０，１２…絶縁層、１４…コモン電極、Ｐ…プリント基板。
【図１】
2010205948.tif 000003
【図２】
2010205948.tif 000004
【図３】
2010205948.tif 000005
【図４】
2010205948.tif 000006
【図５】
2010205948.tif 000007